(57)【特許請求の範囲】
【請求項１】
樹脂管と融着する電気融着継手の融着部に電熱線を埋設し該電熱線に通電する通電パラメータと前記電気融着継手を識別する識別コードとを記載したバーコードを取付けた電気融着継手に電流を供給する電気融着方法において、過去に使用した電気融着継手の識別コードとその継手に供給した通電時間とを記憶手段に記憶しておき、融着作業時に読取手段で読み取ったバーコードデータの継手識別コードと前記記憶手段内に記憶した過去に使用の継手識別コードとを重複検出手段で比較して重複を照合し、重複があった継手について前記記憶手段内に記憶した過去に使用の通電時間から再通電の可否を判別し、再通電可能なものについて電力出力し、再通電不可については外部警報表示することを特徴とする電気融着方法。
【請求項２】
樹脂管と融着する電気融着継手の融着部に電熱線を埋設し該電熱線に通電する通電パラメータと前記電気融着継手を識別する識別コードとを記載したバーコードを取付けた電気融着継手に電流を供給する電気融着方法において、過去に使用した電気融着継手の識別コードとその継手に供給した通電時間とを記憶手段に記憶しておき、融着作業時に読取手段で読み取ったバーコードデータの継手識別コードと前記記憶手段内に記憶した過去に使用の継手識別コードとを重複検出手段で比較して重複を照合し、重複があった継手について前記記憶手段内に記憶した過去に使用の通電時間と通電終了後の経過時間（｛＝現在時刻―（通電開始時刻＋通電時間）｝とから再通電の可否を判別し、再通電可能なものについて電力出力し、再通電不可については外部警報表示することを特徴とする電気融着方法。
【請求項３】
樹脂管と融着する電気融着継手の融着部に電熱線を埋設し該電熱線に通電する通電パラメータと前記電気融着継手を識別する識別コードとを記載したバーコードを取付けた電気融着継手に電流を供給する電気融着装置において、前記バーコードデータを読み取る読取手段と、過去に使用した電気融着継手の識別コードとその継手に供給した通電時間とを記憶する記憶手段と、融着作業時に前記読取手段で読み取ったバーコードデータの継手識別コードと前記記憶手段内に記憶した過去に使用の継手識別コードとを比較して重複を照合する重複検出手段と、前記重複があった継手について記憶手段内に記憶した過去に使用の通電時間から再通電の良否を判別する判別手段とからなることを特徴とする電気融着装置。
【請求項４】
樹脂管と融着する電気融着継手の融着部に電熱線を埋設し該電熱線に通電する通電パラメータと前記電気融着継手を識別する識別コードとを記載したバーコードを取付けた電気融着継手に電流を供給する電気融着装置において、前記バーコードデータを読み取る読取手段と、過去に使用した電気融着継手の識別コードとその継手に供給した通電時間とを記憶する記憶手段と、融着作業時に前記読取手段で読み取ったバーコードデータの継手識別コードと前記記憶手段内に記憶した過去に使用の継手識別コードとを比較して重複を照合する重複検出手段と、前記重複があった継手について記憶手段内に記憶した過去に使用の通電時間と通電終了後の経過時間（｛＝現在時刻―（通電開始時刻＋通電時間）｝とから再通電の良否を判別する判別手段とからなることを特徴とする電気融着装置。
【請求項５】
前記バーコードに設けた継手識別コードは、電気融着継手の製造年月日データ、ないしは電気融着継手に設けた継手番号で識別されることを特徴とする請求項３乃至４記載の電気融着装置。
【請求項６】
前記再通電の良否を判別する通電時間の判別は、正常通電時間に対する実際通電時間の実通電割合から判別することを特徴とする請求項３乃至５記載の電気融着装置。
【請求項７】
前記再通電の良否を判別する通電時間の判別は、実際の通電時間長さから判別することを特徴とする請求項３乃至６記載の電気融着装置。
【請求項８】
前記再通電の良否を判別する通電終了後の経過時間の判別は、通電終了後の経過時間が所定Ｘ時間内であれば再通電可能なものとして電力出力する請求項４乃至７記載の電気融着装置。
【請求項９】
前記再通電の良否を判別する通電終了後の経過時間の判別は、通電終了後の経過時間が所定Ｙ時間より長ければ再通電可能なものとして電力出力する請求項４乃至８記載の電気融着装置。
【発明の詳細な説明】
【０００１】
【発明の属する技術分野】
本発明は熱可塑製樹脂管と電気融着する電気融着継手に通電するための電気融着方法及び電気融着装置に関するものである。
【０００２】
【従来の技術】
従来、ポリエチレンやポリブテン等の熱可塑製樹脂製材料からなる樹脂管と樹脂製管継手とを電気融着することは行われている。この電気融着継手に電流を供給する電気融着装置として、予め継手ごとに見合った通電時間を入力したバーコードを継手本体に取り付けておき、融着時にバーコードリーダでこのバーコードを読み取ることで自動的に通電時間が決定される、所謂バーコード式電気融着装置（特公平７−４５１８５号）が知られている。
【０００３】
また継手番号を含む外部識別情報、例えばバーコードを印刷したラベルやタグを付属した電気融着継手の電熱線に電流を供給する電気融着装置において、過去に使用された多数の継手番号を継手番号記憶手段で記録しておき、融着時に外部識別情報読取手段により読み取った外部識別情報の継手番号と、前期継手番号記憶手段内に記録してある継手番号とが重複していないか検出して、融着作業の可否を決める電気融着装置（特開平９−２４２９６９号）がある。
【０００４】
またバーコードに継手の製造年月日を記録しておき、過去に融着した継手と融着時の継手の製造年月日とを照合して融着作業の可否を決める電気融着装置（特開２０００−３５１７９号）がある。
上記従来技術はバーコードに記載した所定の通電時間を通電して融着するもので、通電が融着途中で中断したことのある電気融着継手を再使用しないように、継手の識別照合を行って再通電することによる融着不良を防止する優れたものである。
【０００５】
【発明が解決しようとする課題】
ところが上記従来技術は、過去使用したことのある電気融着継手の識別データ、即ち継手の製造番号なり、継手の製造年月日によって再使用の重複があるかないかを照合して通電可否を判断しているため、例えば厳格に1秒〜3秒でも通電して通電が中断、またはスイッチが切られて終了した継手も再使用不可と判断され、再使用再通電ができないこととなる。このため資源の無駄につながり、ユーザにとっても高価な電気融着継手が使用できず無駄になり、配管工事費のアップにつながる問題があった。
本発明は、再通電使用であっても融着性能、融着品質に差し支えないものについては再通電可能に、再通電使用すると融着性能や融着品質に影響を及ぼす継手については再通電不可になる制御を行い、きめこまかに再通電防止の判別を行って、資源の無駄を無くす電気融着継手の制御方法及び電気融着装置を提供する。
【０００６】
【課題を解決するための手段】
上記目的を達成するために本発明は、樹脂管と融着する電気融着継手の融着部に電熱線を埋設し該電熱線に通電する通電パラメータと前記電気融着継手を識別する識別コードとを記載したバーコードを取付けた電気融着継手に電流を供給する電気融着方法において、過去に使用した電気融着継手の識別コードとその継手に供給した通電時間とを記憶手段に記憶しておき、融着作業時に読取手段で読み取ったバーコードデータの継手識別コードと前記記憶手段内に記憶した過去に使用の継手識別コードとを重複検出手段で比較して重複を照合し、重複があった継手について前記記憶手段内に記憶した過去に使用の通電時間から再通電の可否を判別し、再通電可能なものについて電力出力し、再通電不可については外部警報表示することを特徴とする電気融着方法である。
また本発明は、前記の重複があった継手について前記記憶手段内に記憶した過去に使用の通電時間と通電終了後の経過時間（｛＝現在時刻―（通電開始時刻＋通電時間）｝とから再通電の可否を判別し、再通電可能なものについて電力出力し、再通電不可については外部警報表示することを特徴とする電気融着方法である。
【０００７】
また本発明は、樹脂管と融着する電気融着継手の融着部に電熱線を埋設し該電熱線に通電する通電パラメータと前記電気融着継手を識別する識別コードとを記載したバーコードを取付けた電気融着継手に電流を供給する電気融着装置において、前記バーコードデータを読み取る読取手段と、過去に使用した電気融着継手の識別コードとその継手に供給した通電時間とを記憶する記憶手段と、融着作業時に前記読取手段で読み取ったバーコードデータの継手識別コードと前記記憶手段内に記憶した過去に使用の継手識別コードとを比較して重複を照合する重複検出手段と、前記重複があった継手について記憶手段内に記憶した過去に使用の通電時間から再通電の良否を判別する判別手段とからなることを特徴とする電気融着装置である。
また本発明は、前記の重複があった継手について前記記憶手段内に記憶した過去に使用の通電時間と通電終了後の経過時間（｛＝現在時刻―（通電開始時刻＋通電時間）｝とから再通電の可否を判別し、再通電可能なものについて電力出力し、再通電不可については外部警報表示することを特徴とする電気融着装置である。
【０００８】
上記において前記バーコードに設けた継手識別コードは、電気融着継手の製造年月日データで識別されることを特徴とする電気融着装置である。
また上記において前記バーコードに設けた継手識別コードは、電気融着継手に設けた継手番号で識別されることを特徴とする電気融着装置である。
また上記において、前記再通電の良否を判別する通電時間の判別は、正常通電時間に対する実際通電時間の実通電割合から判別することを特徴とする電気融着装置である。
また上記において、前記再通電の良否を判別する通電時間の判別は、実際の通電時間の長さから判別することを特徴とする電気融着装置である。
また上記において、前記再通電の良否を判別する通電終了後の経過時間の判別は、通電終了後の経過時間が所定Ｘ時間内であれば再通電可能なものとして電力出力する電気融着装置である。
また上記において、前記再通電の良否を判別する通電終了後の経過時間の判別は、通電終了後の経過時間が所定Ｙ時間より長ければ再通電可能なものとして電力出力する電気融着装置である。
【０００９】
【作用】
本発明は上記の構成であって、継手の識別照合と共に通電時間に基づく再通電使用可否の判別を行って、通電時間の絶対値長さや、通電時間の全体正常通電時間に対する割合や、また過去に使用の通電時間と通電終了後の経過時間（｛＝現在時刻―（通電開始時刻＋通電時間）｝とから、再通電使用しても融着性能上及び融着品質上の問題が生じ無いものは再使用可能と判別し、より木目細かな再使用再通電融着の可否の判別を行うことができる。このため従来の、一律一旦通電使用した継手は融着不可と判断していたものと比べて、問題なく使用できるものは使用可能に通電するため、継手の有効活用が図られて無駄がなくなり、資源の無駄を排除でき、配管施工費用の低減に繋がるものである。
【００１０】
【発明の実施の形態】
以下本発明の実施の形態を実施例を示す図面に基づいて説明する。
図１は本発明の実施の形態を示す電気融着装置のブロック図で、合成樹脂製接続管を融着接続する状態を示す図である。
図2は図1における電気融着制御装置の記憶部の詳細を示す図である。
【００１１】
本実施例の電気融着継手2にはバーコード１のラベルが継手２に直接あるいはタグで取付けられている。バーコード１には従来と同様に、メーカの接続制御方式Ａ、アイテム種類Ｂ、呼び径Ｃ、設計肉厚Ｅ、樹脂材質Ｆ、定電圧定電流モードの各パラメータＧ、エネルギー制御モードの各パラメータＨ、電力制御モードの各パラメータＩが入力してある。コードＤには継手の製造年月日または一貫製造番号が入力してある。
電気融着継手２は熱可塑性合成樹脂製で、管との融着部内面にコイル状の電熱線３が埋設されており、電熱線３の両端部は外面のターミナルピン４に接続されている。継手２の左右の融着受け口内に接続管５,５を挿入して、ターミナルピン４にコネクター１９を装着し、継手内周面の電熱線３に通電が行なわれる。
【００１２】
図１において電気融着装置１０は、電源部１１、演算制御部１２、記憶部１３、読取手段インターフェイス１４、出力部１５、表示部１６、読取手段１７のバーコードリーダを具備している。そして電源部１１は演算処理部１２と出力部１５に接続し、さらにケーブル１８,１８を介してコネクター１９，１９で継手２のターミナルピン４に接続し、電源コード２０を外部電源に接続して電源を入れ、継手２に適した電流を所定時間通電する。継手２への通電によって電熱線３は発熱し、継手２の内面と接続管５,５の外面を溶融して両者は融着接続される。
【００１３】
演算制御部１２では記憶部１３と接続して履歴情報の授受を行ない、且つ接続の可否を判定することができるようになっている。なお記憶部１３は演算制御データや融着履歴データ、この融着履歴データには特に実際に融着した際の通電時間が記憶されるようになっている。また通電時間とともに通電終了後の経過時間（｛＝現在時刻―（通電開始時刻＋通電時間）｝が記憶されるようになっている。
図２に示すように読取手段インターフェイス１４を介して読取手段１７から読み取ったバーコード１のメーカ接続方式Ａ、アイテム種類(継手の品種)Ｂ、呼び径（継手の口径サイズ）Ｃ、製造年月日または製造番号Ｄ、および通電時間を融着履歴データとし、今から融着使用する継手からｎケ月前の継手までの融着履歴データが記憶部１３に記憶される。
【００１４】
実際の配管施工現場では、電源として使用する小型発電機の不調を初めとして、電気融着継手の外表面に設けてあるインジケータが正常に突出せず、やむなく融着を途中で中断することがある。その場合には、各々の継手の融着履歴データが記憶部１３に記憶され、判別手段で良否が判別される。特に通電時間を基準として、全体の正常な通電時間に対する実際の通電時間の割合、または正常な通電時間に達しない実際の通電時間そのものの長さによって、予め定めた再通電使用が可能かどうかの基準に基づいて、再使用可能、不可能なものが判別され、明示される。また前記通電時間や実通電時間の割合に付加して、通電終了後の経過時間（｛＝現在時刻―（通電開始時刻＋通電時間）｝が記録され判別手段で再通電の良否が判別される。
通電終了後の経過時間に関しては、所定Ｘ（例えば１５秒）の経過時間以内であれば通電中断後の残りの通電時間を再通電可能として再通電出力するように設定することができる。また通電時間が所定時間内で通電終了後の経過時間が所定Ｙ（例えば３０分）の経過時間より長ければ、継手の温度が初期温度に冷却したとして最初から所定の通電時間を再通電出力するように設定することができる。尚、メモリのある番地にフラグを立てる等々により、融着中断の内容情報を記憶部１３に記録して検出するようにしても良い。
【００１５】
このようにして形成した本実施例の電気融着装置１０は、今から融着使用する継手２のバーコード１から読取手段１７を介して読み取った融着履歴データと、記憶部１３に記憶された過去の継手の融着履歴データとを、演算制御部１２が照合比較して重複がないか検出する。更に重複が検出された場合に、記憶部１３の中の過去に融着した継手の融着履歴データ内に再通電の可否データを検出して、不可の場合は警告表示または警報出力し、可能な場合は通電終了後の経過時間も加味して最適な所定時間を電力出力するようになっている。
【００１６】
次に上記電気融着装置１０を用いた本発明の電気融着制御方法について説明する。まず電気融着装置１０の読取手段１７は電気融着継手２に取り付けてあるバーコード１を読み取り、バーコード１内の融着履歴データ（メーカ接続方式Ａ、アイテムＢ、呼び径Ｃおよび製造番号または製造年月日等）と、記憶部１３に記録された前記過去の継手の融着履歴データとの、それぞれを照合比較して重複を検出する。もしも合致するものがあれば、記憶部１３の中から融着履歴データ内の融着中断情報を演算制御部１２が判別手段で判別し、融着履歴データの過去の通電時間に基づく再通電可否を検出し、可能な場合は通電終了後の経過時間に基づいて所定Ｘ時間内であれば残りの通電時間を、所定Ｙ時間以上であれば最初から所定の通電時間を電力出力するようにし、再通電不可の情報を検出した場合は、警報を表示部１６で警告出力したり、あるいはブザー等で警報出力する。
【００１７】
また、合致するものがない場合には再使用、再通電する恐れがないものとして、演算制御部１２が接続可と判定し、出力部１５から継手２に電流を供給して融着接続が行われる。この様にして融着作業を中断した継手であっても、再使用、再通電する恐れがない場合のみ通電が行われ、融着接続が行われる。さらに融着接続された継手２の融着履歴データが記憶部１３に記録され、次に行われるのデータとして残され記憶される。
【００１８】
【発明の効果】
以上のごとく本発明によれば、融着作業を中断した継手であっても、再通電使用できない継手と、通電時間が少なく再通電使用に耐え品質上も再使用可能な継手とを、木目細かに選択して、通電時間及び通電時間と通電終了後の経過時間とから最適の通電融着が行われるので、融着不良を起こす恐れを未然に防止する。また再使用可能な継手は再通電使用ができて資源の無駄を排除し、木目細かな通電融着が行える電気融着装置および通電制御方法である。
【図面の簡単な説明】
【図１】  本発明の一実施例の電気融着装置を示すブロック図および融着作業状態を示す部分断面図である。
【図２】  図１における記憶部の詳細を示す図である。
【図３】  バーコードのコードデータの一例を示す概略図である。
【符号の説明】
１  バーコード                      ２  電気融着継手
３  電熱線                          ４  ターミナルピン
５  接続管                          １０  電気融着装置
１１  電源部                        １２  演算制御部
１３  記憶部                        １４  読取り手段インターフェイス
１５  出力部                        １６  表示部
１７  読取り手                      １８  ケーブル
１９  コネクター                    ２０  電源コード
【図１】
0003731877.tif 000002
【図２】
0003731877.tif 000003
【図３】
0003731877.tif 000004